(57)【特許請求の範囲】
【請求項１】
障子に設けられ、当該障子を面内方向に移動自在とする吊車を面外方向に移動するようにガイドする上部召合せ引寄せ部材であって、
前記吊車を面内方向に移動自在に支承する部材に取り付けられる本体と、この本体に面外方向に移動自在に設けた移動体と、この移動体に面外方向に揺動自在に取り付けたロックアームを備え、
前記移動体は、面内方向に向かう第１凹部と、この第１凹部と連続し面外方向一側方に向かう第２凹部とで鉤形の前記吊車をガイドするガイド凹部を有し、その第１凹部が、前述の吊車と対向した面外方向他側寄りの吊車受け位置と、面外方向一側寄りの吊車引寄せ位置とに亘って移動自在で、
前記ロックアームは、一端部が前記移動自在に支承する部材に当接し、かつ他端部が第２凹部内に臨み、この第２凹部内を移動する吊車が他端部と接することで、ロックアームが揺動し、移動体が吊車引寄せ位置に向けて移動すると共に、このロックアームの他端部と第２凹部の面外方向一側端部で吊車を保持するようにしたことを特徴とする障子の上部召合せ引寄せ部材。
【請求項２】
前記ロックアームの他端部を略半円形の凹部とし、
前記移動体の第２凹部の面外方向一端寄りに弾性片を、ロックアームの他端部と対向して形成し、
この弾性片とロックアームの他端部と第２凹部の面外方向一端部で吊車を支持するようにした請求項１記載の障子の上部召合せ引寄せ部材。
【発明の詳細な説明】
【技術分野】
【０００１】
本発明は、カーテンウォールのインナースキンなどに使用する引き戸タイプの建具に用いる障子の上部召合せ引寄せ部材に関する。
【背景技術】
【０００２】
従来、建物の外壁を構成するカーテンウォールとしては、アウタースキンとインナースキンを備え、そのアウタースキンとインナースキンとの間に空気層を有したダブルスキンカーテンウォールが提案されている（特許文献１参照）。
前述のインナースキンとしては、空気層の点検等のために開閉自在な建具、例えば、引き違い戸を用いることがあるが、通常一般の引き違い戸は、一方の障子と他方の障子が面外方向に位置がずれているから、障子を閉じ位置とした障子閉じ状態で一方の障子の召合せ部と他方の障子の召合せ部が面外方向に位置がずれ、段差が生じ、引き違い戸の表面をフラットな面にできず、インナースキンの見栄えが悪いものとなる。
【０００３】
一方、障子を閉じ位置とした障子閉じ状態で一方の障子と他方の障子が面外方向に同一位置で、表面を段差のないフラットな面にできる引き違い戸（引き戸）が提案されている。
例えば、特許文献２に開示したように、障子（引戸）の上部に設けたガイドを上の案内部材のガイド溝に沿って左右方向に閉じ位置と開き位置とに亘って移動自在とすると共に、障子の下部に設けたローラを下の案内部材のガイド溝に沿って閉じ位置と開き位置とに亘って左右方向に移動自在とし、上下の案内部材の左右方向中間部に摺動部材を面外方向に移動可能に設け、障子が閉じ位置のときに、召合せ部に設けたガイド、ローラを摺動部材とともに面外方向に移動できると共に、各ガイド溝の長手方向一端寄りを面外方向一側に向けて折曲し、戸先に設けたガイド、ローラを面外方向に移動することで、閉じ位置の障子を面外方向に移動して障子閉じ状態で一方の障子と他方の障子が面外方向に同一位置で、表面をフラットな面とした引き違い戸が提案されている。
この引き違い戸をインナースキンに使用すれば、障子閉じ状態で一方の障子の表面と他方の障子の表面が面一となり、インナースキンの表面をフラットな面とすることができるから、見栄えが良いものにできる。
【先行技術文献】
【特許文献】
【０００４】
【特許文献１】特開２００２−２５６６３７号公報
【特許文献２】特公平８−２３２４５号公報
【発明の概要】
【発明が解決しようとする課題】
【０００５】
前述した従来の引き違い戸は、障子の召合せ部に設けたガイド、ローラを摺動部材とともに面外方向に移動することで、障子の召合せ部を面外方向一側寄りの閉じ状態位置と面外方向他側寄りの可動状態位置に移動し、障子閉じ状態で障子の表面を隣接した障子の表面と面一としたり、隣接した障子よりも面外方向他側寄りに位置して開き位置に移動できるようにしているので、障子の召合せ部を面外方向一側寄りの閉じ状態位置に保持することができず、一方の障子の召合せ部と他方の障子の召合せ部が面外方向に位置がずれ、一方の障子の召合せ部の表面と他方の障子の召合せ部の表面が面外方向にずれて段差が生じ、引き違い戸の表面をフラットな面にできないことがある。
【０００６】
このことは、一方の障子が開閉移動し、他方の障子は閉じ位置で固定された片引き戸の場合も同様である。つまり、障子を面内方向に移動して開閉すると共に、障子を閉じ位置で面外方向に移動し、障子閉じ状態で表面をフラットな面とする建具において、その建具の表面を確実にフラットな面とすることができなかった。それにより、障子間の隙間から光漏れが生じる問題もあった。
【０００７】
本発明の目的は、障子を閉じ状態位置に移動した障子閉じ状態で表面を確実にフラットな面とすることができる建具に用いる障子の上部召合せ引寄せ部材を提供することである。
【課題を解決するための手段】
【０００８】
本発明は、障子に設けられ、当該障子を面内方向に移動自在とする吊車を面外方向に移動するようにガイドする上部召合せ引寄せ部材であって、
前記吊車を面内方向に移動自在に支承する部材に取り付けられる本体と、この本体に面外方向に移動自在に設けた移動体と、この移動体に面外方向に揺動自在に取り付けたロックアームを備え、
前記移動体は、面内方向に向かう第１凹部と、この第１凹部と連続し面外方向一側方に向かう第２凹部とで鉤形の前記吊車をガイドするガイド凹部を有し、その第１凹部が、前述の吊車と対向した面外方向他側寄りの吊車受け位置と、面外方向一側寄りの吊車引寄せ位置とに亘って移動自在で、
前記ロックアームは、一端部が前記移動自在に支承する部材に当接し、かつ他端部が第２凹部内に臨み、この第２凹部内を移動する吊車が他端部と接することで、ロックアームが揺動し、移動体が吊車引寄せ位置に向けて移動すると共に、このロックアームの他端部と第２凹部の面外方向一側端部で吊車を保持するようにしたことを特徴とする障子の上部召合せ引寄せ部材である。
【００１３】
本発明の障子の上部召合せ引寄せ部材においては、前記ロックアームの他端部を略半円形の凹部とし、
前記移動体の第２凹部の面外方向一側端寄りに弾性片を、ロックアームの他端部と対向して形成し、
この弾性片とロックアームの他端部と第２凹部の面外方向一端部で吊車を支持するようにできる。
このようにすれば、吊車を面外方向一側寄りの所定の位置でしっかりと保持することができる。
【発明の効果】
【００１５】
本発明の障子の上部召合せ引寄せ部材によれば、吊車を所定の面外方向一側寄りの位置に保持できる。
このようであるから、本発明の障子の上部召合せ引寄せ部材を引き戸タイプの建具に用いることで、障子を閉じ位置において閉じ状態位置に移動するときに、その障子の召合せ部側の吊車が上部召合せ引寄せ部材で面外方向一側の所定の位置に保持され、障子の召合せ部の上部を所定の面外方向位置とし、隣接した面材の表面と面一にできるから、障子閉じ状態で表面を確実にフラットな面とすることができる。
【００１６】
本発明の障子の上部召合せ引寄せ部材によれば、吊車を所定の面外方向一側寄りの位置に保持できる。
【００１７】
本発明の障子の下部召合せ引寄せ部材によれば、下部ガイドローラを所定の面外方向一側寄りの位置に保持できる。
【図面の簡単な説明】
【００１８】
【図１】カーテンウォールの概略縦断面図である。
【図２】カーテンウォールの概略横断面図である。
【図３】カーテンウォールの概略内観図である。
【図４】図３に示すインナースキンの引き出し障子部分の詳細縦断面図である。
【図５】図３に示すインナースキンのスライド障子部分の詳細縦断面図である。
【図６】上案内部材の見上げ図である。
【図７】上部召合せ引寄せ部材の見上げ図である。
【図８】上部召合せ引寄せ部材の側面図である。
【図９】図８のＡ−Ａ断面図である。
【図１０】上部召合せ引寄せ部材の斜視図である。
【図１１】上部召合せ引寄せ部材の移動体が移動した状態の見上げ図である。
【図１２】上部召合せ引寄せ部材の移動体が移動した状態の斜視図である。
【図１３】上部戸先引寄せ部材を断面した見上げ図である。
【図１４】下案内部材の横断面図である。
【図１５】図１４のＢ−Ｂ拡大断面図である。
【発明を実施するための形態】
【００１９】
図１〜図３に示すように、インナースキン１とアウタースキン２は面外方向（室内外側方向）に離隔し、そのインナースキン１とアウタースキン２との間に空気層３を有し、カーテンウォールとしてある。
前記インナースキン１は、引き出し障子４とスライド障子５を備えた引き違い戸で、本発明の引き戸タイプの建具である。
【００２０】
前記引き出し障子４は、閉じ位置において実線で示す面外方向一側寄り（室外側寄り位置）の閉じ状態位置と、仮想線で示す面外方向他側寄り（室内側寄り位置）の可動状態位置とに亘って面外方向に移動可能である。
この引き出し障子４が閉じ状態位置のときに、この引き出し障子４とスライド障子５が面外方向に同一位置で、引き出し障子４の表面（室内側面）４ａとスライド障子５の表面（室内側面）５ａが面一に連続し、インナースキン１（建具）の表面はフラットな面である。
【００２１】
前記引き出し障子４が可動状態位置のときには、その引き出し障子４がスライド障子５よりも面外方向他側寄りに位置し、引き出し障子４、スライド障子５を面内方向に移動しても相互に干渉しないので、引き出し障子４をスライド障子５側に向けて面内方向に移動して開き位置とすることができると共に、スライド障子５を引き出し障子４に向けて面内方向に移動して開き位置とすることができる。
【００２２】
前記スライド障子５を閉じ位置で固定した固定障子とし、片引きの引き戸としても良い。
前述した引き違い戸、片引きの引き戸などの引き戸タイプの建具は、カーテンウォールのインナースキンに限らず、住宅の出入口や室内間仕切りとして使用することができ、その場合にはスライド障子５を住宅の壁などとすることができる。
【００２３】
つまり、本発明の引き戸タイプの建具は、閉じ位置において面外方向一側寄りの閉じ状態位置と面外方向他側寄りの可動状態位置とに亘って面外方向に移動可能な引き出し障子４を備え、この引き出し障子４が閉じ状態位置のときには、当該引き出し障子４と面内方向に隣接した面材（スライド障子５、壁）の表面と引き出し障子４の表面が面一に連続して建具の表面がフラットな面となり、前記引き出し障子４が可動状態位置のときには、当該引き出し障子４が前記面材の表面よりも面外方向他側寄りとなって引き出し障子４を面内方向における前記面材側に向けて移動して開き位置とすることができる建具であれば良い。
【００２４】
前述したインナースキン１として使用した建具は、図１に示すように、カーテンウォールの枠体を構成する中間横材６の面外方向他側部に設けた上案内部材１０と、下横材７の面外方向他側部に設けた下案内部材２０を有している。
前述したアウタースキン２は、前記中間横材６、下横材７の面外方向一側部にガラスなどのパネルを取り付けてある。
前記引き出し障子４、スライド障子５は図３に示すように、上框４ｂ，５ｂと下框４ｃ，５ｃと召合せ框４ｄ，５ｄと戸先框４ｅ，５ｅを方形状に連結し、その内部にガラスなどのパネル４ｆ，５ｆを装着してある。
この引き出し障子４、スライド障子５は前述のものに限ることはない。例えば、パネルのみで障子としても良い。
【００２５】
上記上案内部材１０は図４、図５に示すように、面外方向一側ガイド部１１と面外方向他側ガイド部１２を有し、各ガイド部は面内方向に連続している。
図４、図５に示す上案内部材１０は、面外方向一側縦板１３と面外方向他側縦板１４を横板１５で連結した本体部材１６と、この本体部材１６の横板１５の面外方向中間に取り付けた中間部材１７を備え、この中間部材１７と面外方向一側縦板１３で下向きコ字状の溝を形成すると共に、中間部材１７と面外方向一側縦板１３は面外方向に向かい、上下に位置がずれた一側支持片１７ａ，１３ａを有し、前記面外方向一側ガイド部１１を形成している。
前記中間部材１７と面外方向他側縦板１４で下向きコ字状の溝を形成すると共に、中間部材１７と面外方向他側縦板１４は面外方向に向かい上下に位置がずれた他側支持片１７ｂ，１４ａを有し、前記面外方向他側ガイド部１２を形成している。
【００２６】
前記下案内部材２０は図４、図５に示すように、面外方向一側ガイド部２１と面外方向他側ガイド部２２を有し、各ガイド部は面内方向に連続している。
この面外方向他側ガイド部２２は、面外方向一側ガイド部２１よりも下方で、かつスライド障子５の下部（下框５ｃ）よりも下方に位置し、かつ面外方向一側ガイド部２１よりも面外方向他側寄りに位置している。
【００２７】
図４と図５に示す下案内部材２０は、上部材２３と下部材２４を備えている。
この上部材２３は、その面外方向他側部に下向きに開口した溝部２５を有し、この溝部２５を面外方向一側ガイド部２１としてある。
前記上部材２３は、その下面の面外方向中間に垂下片２６を有している。
前記下部材２４は、その面外方向他側部に上向きに開口した溝部２７を有し、この溝部２７を面外方向他側ガイド部２２としてある。
前記下部材２４は、その上面の面外方向一側部に立上片２８を有し、この立上片２８と前記垂下片２６をビス等の固着具で連結することで下案内部材２０としてある。
【００２８】
前記引き出し障子４の上部（上框４ｂ）には吊車３０が取り付けてある。
この吊車３０は引き出し障子４が閉じ位置のときに、前記面外方向一側ガイド部１１と面外方向他側ガイド部１２とに亘って移動可能で、図４に仮想線で示すように、引き出し障子４が可動状態位置のときに、その吊車３０が面外方向他側ガイド部１２に沿って面内方向に移動する。
図４に示す吊車３０は、軸３１に下戸車（タイヤ）３２と上戸車（タイヤ）３３を回転自在に取り付け、その下戸車３２と上戸車３３との間にカラー３４を設け、軸３１の最上部に吊車ガイドローラ３５が回転自在に設けてある。
そして、図４に仮想線で示すように上戸車３３が上の他側支持片１４ａに接して回転すると共に、下戸車３２が下の他側支持片１７ｂに接して回転するようにしてある。
これによって、吊車３０はスムーズに回転する。
【００２９】
前記引き出し障子４の下部（下框４ｃ）には下部ガイドローラ４０が取り付けてある。
この下部ガイドローラ４０は引き出し障子４が閉じ位置のときに、図４に仮想線で示すように面外方向他側ガイド部２２に接した位置と、図４に実線で示すように面外方向他側ガイド部２２よりも面外方向一側寄りの位置とに亘って面外方向に移動自在である。
この下部ガイドローラ４０は図４に仮想線で示すように引き出し障子４が可動状態位置のときに面外方向他側ガイド部２２に沿って面内方向に移動自在で、引き出し障子４の下部を閉じ位置と開き位置とに亘って移動ガイドする。
【００３０】
これによって、引き出し障子４は、可動状態位置において上下案内部材１０，２０の面外方向他側ガイド部１２，２２に沿って開き位置と閉じ位置とに亘って移動自在に吊り下げ支持されると共に、閉じ位置において面外方向一側寄りの閉じ状態位置と面外方向他側寄りの可動状態位置とに亘って面外方向に移動可能である。
【００３１】
前記スライド障子５の上部（上框５ｂ）に前述の吊車３０が取り付けてある。
この吊車３０は図５に示すように、面外方向一側ガイド部１１に沿って面内方向に移動自在である。つまり、上戸車３３が上の一側支持片１７ａに接して回転し、下戸車３２が下の一側支持片１３ａに接して回転する。
前記スライド障子５の下部（下框５ｃ）に前述の下部ガイドローラ４０が取り付けてある。
この下部ガイドローラ４０は図５に示すように、面外方向一側ガイド部２１に沿って面内方向に移動自在である。
【００３２】
これによって、スライド障子５は上下案内部材１０，２０の面外方向一側ガイド部１１，２１に沿って閉じ位置と開き位置に亘って移動自在に吊り下げ支持されている。
【００３３】
図４に示すように、引き出し障子４の下部（下框４ｃ）にブラケット４１を面外方向一側方に向けてビス等で固着して取り付け、そのブラケット４１に下部ガイドローラ４０を縦軸４０ａの回りに回転自在で、かつブラケット４１よりも下方に突出するように取り付け、その下部ガイドローラ４０を下部材２４の溝部２７に挿入するようにしてある。
図５に示すように、スライド障子５の下部（下框５ｃ）にブラケット４２を面外方向一側方に向けてビス等で固着して取り付け、そのブラケット４２に下部ガイドローラ４０を縦軸４０ａの回りに回転自在で、かつブラケット４２よりも上方に突出するように取り付け、その下部ガイドローラ４０を上部材２３の溝部２５に挿入するようにしてある。
【００３４】
次に、引き出し障子４を閉じ位置において面外方向に移動する構成について説明する。
図３に点線で示すように、引き出し障子４の上部（上框４ｂ）、スライド障子５の上部（上框５ｂ）における召合せ部側と戸先側にそれぞれ吊車３０が取り付けてある。
引き出し障子４の下部（下框４ｃ）、スライド障子５の下部（下框５ｃ）における召合せ部側と戸先側にそれぞれ下部ガイドローラ４０が取り付けてある。
【００３５】
前記上案内部材１０を見上げると図６に示すように見える。つまり、図６は上案内部材１０の見上げ図である。
図６に示すように、引き出し障子４が閉じ位置のときに召合せ部側の吊車３０、戸先側の吊車３０が面外方向他側ガイド部１２から面外方向一側方に移動できるようにしてある。
例えば、上案内部材１０の中間部材１７における召合せ部側の吊車３０と対向した部分と、戸先側の吊車３０と対向した部分をそれぞれ切欠き１７ｃ，１７ｄしてある。
前述した切欠き１７ｃに障子の上部召合せ引寄せ部材５０を取り付けると共に、切欠き１７ｄに障子の上部戸先引寄せ部材６０を取り付ける。
【００３６】
前記上部召合せ引寄せ部材５０により面外方向他側ガイド部１２に位置する召合せ部側の吊車３０を面外方向一側方（面外方向一側ガイド部１１）に向けて移動ガイドし、その召合せ部側の吊車３０を所定の面外方向一側寄りの位置、例えば、仮想線で示すように面外方向一側ガイド部１１に合致する位置に保持する。
これにより、引き出し障子４の召合せ部の上部を所定の面外方向位置に正確に保持し、スライド障子５の召合せ部の上部と面外方向に同一位置とし、両方の障子４，５の召合せ部の上部の表面を面一にできる。
【００３７】
前記上部戸先引寄せ部材６０は、面外方向他側ガイド部１２に沿って移動する戸先側の吊車３０を閉じ位置よりも若干開き寄り位置から面内方向に移動しながら順次面外方向一側方（面外方向一側ガイド部１１）に向けて移動するようにガイドし、その戸先側の吊車３０を所定の面外方向一側寄りの位置、例えば、仮想線で示すように面外方向一側ガイド部１１に合致する位置に保持する。
これにより、引き出し障子４の戸先部の上部を所定の面外方向位置に正確に保持することができる。
【００３８】
前述した上部召合せ引寄せ部材５０は図７〜図１２に示すように、上案内部材１０（横板１５）にビス等の固着具で固着して取り付ける本体５１と、この本体５１に面外方向に移動自在に設けた移動体５２と、この移動体５２に面外方向に揺動自在に取り付けたロックアーム５３を備えている。
前記本体５１は、上面部５１ａと、この上面部５１ａに設けた垂下部５１ｂを備え、その垂下部５１ｂには下面及び面外方向両側面に開口した面外方向に向かう溝部５１ｃが形成されていると共に、前述の吊車３０の上戸車３３、下戸車３２が回転自在に接する上支持片５１ｄ、下支持片５１ｅを有している。
【００３９】
前記移動体５２には、その下面に開口したガイド凹部５４が形成され、このガイド凹部５４は面内方向に向かう第１凹部５４ａと、この第１凹部５４ａの面内方向一端と連続し面外方向一側方に向かう第２凹部５４ｂで鉤形状で、前述した吊車３０の吊車ガイドローラ３５をガイドする。前記第２凹部５４ｂは本体５１の溝部５１ｃと連続し、その溝部５１ｃを経て本体５１の下面に開口している。
【００４０】
前記移動体５２は図７に示すように、その第１凹部５４ａが上案内部材１０の面外方向他側ガイド部１２と合致した面外方向他側寄りの吊車受け位置と、図１１に示す面外方向一側寄りの吊車引寄せ位置とに亘って面外方向に移動する。例えば、本体５１に設けたスプリングピン５５を移動体５２の面外方向に向かう溝５５ａに挿入して、振動や小さな力では面外方向に移動しないようにし、本体５１に設けたピン５６を移動体５２の面外方向に向かう溝５６ａに挿入して前述の位置に亘って移動自在とすると共に、移動体５２の面外方向一側部、例えば面内方向に突出した突部５２ａを本体５１の面外方向一側面５１ｆに接することで前述の吊車受け位置に位置決めし、移動体５２の面外方向他側部、例えば面内方向に突出した突部５２ｂを本体５１の面外方向他側面５１ｇに接することで前述の吊車引寄せ位置に位置決めする（図９参照）。
前述した移動体５２が吊車受け位置のときには、図７、図９に示すように、その移動体５２の面外方向一側面５２ｃが上案内部材１０の面外方向一側ガイド部１１に位置し、スライド障子５の吊車３０（吊車ガイドローラ３５）を面内方向に移動自在にガイドする。
つまり、中間部材１７の切欠き１７ｃで面外方向一側ガイド部１１が不連続となるので、移動体５２の面外方向一側面５２ｃで不連続となった部分を連続し、スライド障子５の吊車３０が面外方向一側ガイド部１１に沿ってスムーズに移動するようにしてある。
【００４１】
前記ロックアーム５３は移動体５２にピン５７で水平面方向に沿って面外方向に揺動自在に取り付けてあり、そのロックアーム５３の一端部５３ａは本体５１よりも面内方向外側に突出し、他端部５３ｂは第２凹部５４ｂ内に位置している。
前記ロックアーム５３は、他端部５３ｂが面外方向他側方（第１凹部５４ａ）に向かう図７に示す第１姿勢と、他端部５３ｂが面内方向一方側に向かう図１１に示す第２姿勢とに亘って面外方向に揺動自在で、移動体５２が吊車受け位置のときにはロックアーム５３が第１姿勢となる。このロックアーム５３が第１姿勢のときに、その一端部５３ａが上案内部材１０、例えば中間部材１７の面外方向一側面１７ｅに当接する。なお、一端部５３ａが前述の一側面１７ｅと離れていても良い。
前記ロックアーム５３が第１姿勢から第２姿勢に向けて面外方向に揺動すると、ピン５７が面外方向に移動するので、前記移動体５２が吊車引寄せ位置に向けて面外方向一側方に移動し、吊車引寄せ位置となると、ロックアーム５３が第２姿勢に揺動し、そのロックアーム５３の他端部５３ｂとガイド凹部５４における第２凹部５４ｂの面外方向一側端部５４ｃとで吊車ガイドローラ３５を保持し、面外方向の位置を所定の位置に保持する。
この状態のときに、ロックアーム５３の一端部５３ａが前述の中間部材１７の面外方向一側面１７ｅに当接し、吊車ガイドローラ３５が移動体５２と一体となった状態で面外方向他側（室内側）に移動しないように突っ張っている。
前述の一端部５３ａにローラを設け、そのローラが前述の面に当接するようにしても良い。
【００４２】
前記ロックアーム５３の他端部５３ｂは略半円形に凹み、吊車ガイドローラ３５を第２凹部５４ｂの面外方向一側端部５４ｃとアーム５３の他端部５３ｂで保持し易くしてある。
前記ガイド凹部５４の第２凹部５４ｂにおける面外方向一側端部寄りに弾性片５８が設けてあり、この弾性片５８はロックアーム５３の他端部５３ｂと対向し、吊車ガイドローラ３５が弾性片５８を弾性変形して第２凹部５４ｂの面外方向一側端部５４ｃに接するようにしてある。
これによって、吊車ガイドローラ３５を面外方向の所定位置でしっかりと保持することができる。
【００４３】
このようであるから、引き出し障子４が開き位置から閉じ位置に向けて移動し、閉じ位置近くなると召合せ部側の吊車３０の吊車ガイドローラ３５が第１凹部５４ａに入り込み、閉じ位置に移動すると吊車ガイドローラ３５が第２凹部５４ｂに合致する。
この状態で引き出し障子４の召合せ部を面外方向一側方に移動すると、前述の吊車ガイドローラ３５が第２凹部５４ｂに沿って面外方向一側方に移動し、ロックアーム５３の他端部５３ｂに接する。
この状態から引き出し障子４の召合せ部を更に面外方向一側方に移動すると、ロックアーム５３が揺動するとともに移動体５２が面外方向一側方に移動し、その移動体５２が吊車引寄せ位置まで移動するとロックアーム５３の他端部５３ｂとガイド凹部５４の面外方向一側端部５４ｃとで吊車ガイドローラ３５を面外方向に位置決めして保持し、引き出し障子４の召合せ部の上部を所定の面外方向の位置に保持する。
この状態で、ロックアーム５３の一端部５３ａは前述の一側面１７ｅに当接して突っ張っているので、振動などにより吊車ガイドローラ３５とともに移動体５２が面外方向他側方に移動することがなくなり、引き出し障子４の召合せ部の上部を所定の面外方向の位置にしっかりと保持できる。
前述の状態から、引き出し障子４の召合せ部に面外方向他側方に向かう強い力を加えると、ロックアーム３５が第１姿勢に向けて揺動し、吊車ガイドローラ３５とともに移動体５２が吊車受け位置に向けて移動し、ロックアーム３５が第１姿勢となると、吊車ガイドローラ３５のみが第２凹部５４ｂに沿って移動して移動体５２が吊車受け位置となり、吊車ガイドローラ３５は第１凹部５４ａに位置し、引き出し障子４の召合せ部の上部が可動状態位置となる。
そして、引き出し障子４を開き位置に向けて移動することで、吊車ガイドローラ３５が第１凹部５４ａに沿って面内方向に移動し、吊車３０が面外方向他側ガイド部１２内に入り込む。
【００４４】
上記上部戸先引寄せ部材６０は、図１３に示すように戸先側の吊車３０の上戸車３３、下戸車３２をガイドするブロック６１と、吊車ガイドローラ３５をガイドして所定の面外方向位置に保持する引寄せブロック６２を備えている。
前記ブロック６１のガイド溝６３は斜めで、その面外方向他側部が上案内部材１０の面外方向他側ガイド部１２と連続している。
前記引寄せブロック６２のガイド溝６４は面外方向に斜めで、その面外方向他側部がブロック６１のガイド溝６３の面外方向一端部と連続し、そのガイド溝６４の面外方向一端部６４ａは円形である。
【００４５】
このようであるから、引き出し障子４を開き位置から閉じ位置に向けて移動し、その引き出し障子４が閉じ位置の近くまで移動すると、戸先側の吊車３０の上戸車３３、下戸車３２がブロック６１のガイド溝６３に入り込み、そのガイド溝６３に沿って面内方向に移動しながら面外方向に移動し、吊車ガイドローラ３５が引寄せブロック６２のガイド溝６４に挿入され、その面外方向一端部６４ａに嵌まり込むことで、面外方向一側寄りの所定の位置に保持し、戸先部の上部を所定の面外方向位置に保持する。
【００４６】
前述のように、吊車ガイドローラ３５がガイド溝６４の面外方向一端部６４ａに嵌まり込んだときに、召合せ部側の吊車３０の吊車ガイドローラ３５が前述のようにガイド凹部５４の第２凹部５４ｂと対向し、その戸先側の吊車ガイドローラ３５を支点として引き出し障子４の召合せ部を面外方向一側方に押すことで、前述のように召合せ部側の吊車ガイドローラ３５の面外方向の位置を所定の位置に保持する。
【００４７】
図１４は下案内部材２０を上下中間で断面した下部材２４の平面図で、仮想線で示すように引き出し障子４の召合せ部側と戸先側にそれぞれ取り付けた下部ガイドローラ４０がそれぞれ面外方向他側ガイド部２２に沿って移動する。
前述の下部材２４の溝部２７（面外方向他側ガイド部２２）よりも面外方向一側寄りにおける引き出し障子４が閉じ位置のときに召合せ部側の下部ガイドローラ４０と対向した部分を切断等して除去し、その下部ガイドローラ４０が面外方向一側寄り位置まで移動可能としてある。
そして、前述した除去した部分２４ａに障子の下部召合せ引寄せ部材７０が取り付けてある。
この下部召合せ引寄せ部材７０は、前述した召合せ部側の下部ガイドローラ４０を面外方向一側寄り位置と他側寄り位置とに移動するようにガイドすると共に、その下部ガイドローラ４０を、面外方向一側寄り位置に保持して引き出し障子４の召合せ部の下部を、所定の面外方向位置に保持する。
【００４８】
これにより、引き出し障子４の召合せ部の下部を所定の面外方向位置に正確に保持し、スライド障子５の召合せ部の上部と面外方向に同一位置とし、両方の障子４，５の召合せ部の下部の表面を面一にできる。
したがって、前述の上部召合せ引寄せ部材５０と組み合わせ用いることで、両方の障子４，５の召合せ部を上下方向全長に亘って面一とすることができる。
【００４９】
下部召合せ引寄せ部材７０は図１４、図１５に示すように、ブロック７１に下部ガイドローラ４０を面外方向にガイドする面外方向に向かうガイド溝７２を有する。
このガイド溝７２の面外方向他側の入口部７２ａは下部材２４の溝部２７と連続し、開き位置から閉じ位置に向けて引き出し障子４が移動すると召合せ部側の下部ガイドローラ４０が入口部７２ａに入り込むようにしてある。
前記ガイド溝７２内には、板ばね等の弾性材より成る保持部材７３が設けてある。
この保持部材７３は、下部ガイドローラ４０がガイド溝７２に沿って面外方向一側に向けて移動することで弾性変形し、その弾性復元力で下部ガイドローラ４０をガイド溝７２の面外方向一側面７２ｂに押しつけ、面外方向一側寄りの所定位置に位置決めして保持する。
【００５０】
図１４、図１５に示す保持部材７３は、取付片７４と斜めの中間片７５と先端片７６を有した板ばねで、その取付片７４を下部材２４（ガイド溝７２の底部）に固着して、前記中間片７５、先端片７６が面外方向一側方に向かうように取り付けてある。
前記中間片７５は面外方向他側が低く、面外方向一側が高くなるように水平に対して斜めで、この中間片７５の先端部７５ａは山形状で、先端片７６は水平である。
【００５１】
前記下部ガイドローラ４０が面外方向他側から一側に向けて移動することで、その下部ガイドローラ４０によって中間片７５が下方に弾性変形し、下部ガイドローラ４０が中間片７５の先端部７５ａを越えるとガイド溝７２の面外方向一側面７２ｂに接し、かつ中間片７５の弾性復元力によって先端片７６で下部ガイドローラ４０をガイド溝７２の面外方向一側面７２ｂに押しつけて保持する。
この状態から下部ガイドローラ４０を強い力で面外方向他側方に移動すると、下部ガイドローラ４０が中間片７５の先端部７５ａに接して中間片７５を下方に弾性変形するので、下部ガイドローラ４０を面外方向他側寄り位置まで移動できる。
【００５２】
前記下部召合せ引寄せ部材７０は保持部材７３を備えずに、下部ガイドローラ４０を面外方向に移動するようにガイドするのみとしても良い。
つまり、引き出し障子４は吊り下げ支持されているので、召合せ部の上部を面外方向に位置決めすれば、引き出し障子４は自重で垂直になり、召合せ部の下部も所定の面外方向位置となる。
【００５３】
図１４に示すように、下案内部材２０の下部材２４の溝部２７よりも面外方向一側寄りにおける引き出し障子４が閉じ位置のときに戸先側の下部ガイドローラ４０と対向した部分を切断等して除去し、その下部ガイドローラ４０が面外方向一側寄り位置まで移動可能としてある。
そして、前述した除去した部分２４ｂに障子の下部戸先引寄せ部材８０が取り付けてある。
この下部戸先引寄せ部材８０は、前述した戸先側の下部ガイドローラ４０を面外方向一側寄り位置と面外方向他側寄り位置とに移動するようにガイドすると共に、その下部ガイドローラ４０を面外方向一側寄りの所定の位置に保持し、引き出し障子４の戸先部の下部を、所定の面外方向位置に保持する。
【００５４】
これにより、引き出し障子４の戸先部の下部を所定の面外方向位置に正確に保持することができ、前述の上部戸先引寄せ部材６０と組み合わせることで、引き出し障子４の戸先部の水平に対する角度を所定の角度、例えば９０°で垂直とすることができる。
しかも、上部・下部召合せ引寄せ部材５０，６０と組み合わせることで、引き出し障子４を閉じ状態位置で面内方向にねじれがない、正しい姿勢とすることができる。
【００５５】
前述の下部戸先引寄せ部材８０は、図１４に示すように面外方向に斜めとなったガイド溝８１を有し、このガイド溝８１の面外方向他側の入口部８１ａは下部材２４の溝部２７と連続し、面外方向一側端部８１ｂは略円形となっている。
このようであるから、引き出し障子４を開き位置から閉じ位置に向けて移動して閉じ位置近くとなったときに戸先側の下部ガイドローラ４０が入口部８１ａに入り込み、さらに引き出し障子４を閉じ位置に向けて移動すると戸先側のガイドローラ４０が面外方向一側方に移動しながら面内方向に移動し、引き出し障子４が閉じ位置のときに戸先側の下部ガイドローラ４０がガイド溝８１の略円形の面外方向一側端部８１ｂに嵌まり込む。
【００５６】
前述のように、戸先側の下部ガイドローラ４０がガイド溝８１の面外方向一側端部８１ｂに嵌まり込んだときに召合せ部側の下部ガイドローラ４０が下部召合せ引寄せ部材７０のガイド溝７２の入口部７２ａに位置する。
そして、前述の状態から引き出し障子４の召合せ部を面外方向一側方に押すことで召合せ部側の下部ガイドローラ４０がガイド溝７２に沿って移動する。
つまり、上部戸先引寄せ部材６０と下部戸先引寄せ部材８０は同様で、上部召合せ引寄せ部材５０と下部召合せ引寄せ部材７０は同様で、引き出し障子４の戸先部と召合せ部を同様に移動操作して閉じ状態位置とすることができる。
【符号の説明】
【００５７】
１…インナースキン、４…引き出し障子、５…スライド障子、１０…上案内部材、１１…面外方向一側ガイド部、１２…面外方向他側ガイド部、２０…下案内部材、２１……面外方向一側ガイド部、２２…面外方向他側ガイド部、３０…吊車、４０…下部ガイドローラ、５０…障子の上部召合せ引寄せ部材、５１…本体、５２…移動体、５３…ロックアーム、５４…ガイド凹部、５４ａ…第１凹部、５４ｂ…第２凹部、５４ｃ…面外方向一側端部、５８…弾性片、６０…障子の上部戸先引寄せ部材、７０…障子の下部召合せ引寄せ部材、７１…ブロック、７２…ガイド溝、７３…保持部材、８０…障子の下部戸先引寄せ部材。
【図１】
0005717132.tif 000002
【図２】
0005717132.tif 000003
【図３】
0005717132.tif 000004
【図４】
0005717132.tif 000005
【図５】
0005717132.tif 000006
【図６】
0005717132.tif 000007
【図７】
0005717132.tif 000008
【図８】
0005717132.tif 000009
【図９】
0005717132.tif 000010
【図１０】
0005717132.tif 000011
【図１１】
0005717132.tif 000012
【図１２】
0005717132.tif 000013
【図１３】
0005717132.tif 000014
【図１４】
0005717132.tif 000015
【図１５】
0005717132.tif 000016